(57)【特許請求の範囲】
【請求項１】
収容凹部１１０が形成されたハウジング１００；
前記収容凹部１１０に全部または一部が収容されるマウス本体２００；
前記マウス本体２００に印加される外力の方向を感知してポインタ移動方向信号を発生させる方向感知手段３１０；及び
前記マウス本体２００に印加される外力の強度を感知してポインタ速度変化信号を発生させる速度感知手段３２０；
を含んでなり、
前記方向感知手段３１０と前記速度感知手段３２０がそれぞれ別に設けられることを特徴とする、固定型マウス。
【請求項２】
前記方向感知手段３１０は、前記マウス本体２００の外壁と前記収容凹部１１０の内壁の中でいずれか一方に装着され、
前記速度感知手段３２０は、前記マウス本体２００の外壁と前記収容凹部１１０の内壁の中で他方に装着されることを特徴とする、請求項１に記載の固定型マウス。
【請求項３】
前記方向感知手段３１０はリング状に形成されて前記収容凹部１１０の底面に装着され、
前記速度感知手段３２０は前記マウス本体２００の外壁と前記収容凹部１１０の内壁の中でいずれか一方に装着されることを特徴とする、請求項１に記載の固定型マウス。
【請求項４】
前記方向感知手段３１０と速度感知手段３２０は互いに重なるように結合されて前記マウス本体２００の外壁または前記収容凹部１１０の内壁に装着されることを特徴とする、請求項１に記載の固定型マウス。
【請求項５】
前記方向感知手段３１０と前記速度感知手段３２０は、前記マウス本体２００の外壁または前記収容凹部１１０の内壁の周りに沿って一定間隔で離隔するように配列されるか、あるいは前記マウス本体２００の外壁または前記収容凹部１１０の内壁の全周にわたって備えられることを特徴とする、請求項１に記載の固定型マウス。
【請求項６】
前記方向感知手段３１０は、前記マウス本体２００の外壁または前記収容凹部１１０の内壁に装着され、
前記速度感知手段３２０は、前記マウス本体２００の上面または前記マウス本体２００の底面あるいは前記収容凹部１１０の底面に装着されることを特徴とする、請求項１に記載の固定型マウス。
【請求項７】
前記マウス本体２００は下側一部だけが前記収容凹部１１０に収容され、
前記マウス本体２００は前記収容凹部１１０に収容されない上側に取っ手部２２０を備えることを特徴とする、請求項１に記載の固定型マウス。
【請求項８】
前記取っ手部２２０は、下端が前記マウス本体２００の外壁と収容凹部１１０の内壁の間の空間を覆うように形成されることを特徴とする、請求項７に記載の固定型マウス。
【請求項９】
前記マウス本体２００に別途の外力が印加されない限りマウス本体２００が移動しないように、前記マウス本体２００に弾性力を印加する弾性部材４００をさらに含むことを特徴とする、請求項１〜８のいずれか一項に記載の固定型マウス。
【請求項１０】
前記方向感知手段３１０は、他の物体が接触するとき、あるいは他の物体が接触した状態で接触圧力が印加されるとき、ポインタ移動方向信号を発生させるように構成されることを特徴とする、請求項１〜８のいずれか一項に記載の固定型マウス。
【請求項１１】
前記方向感知手段３１０は、スイッチ方式またはタッチセンサー方式でなることを特徴とする、請求項１０に記載の固定型マウス。
【請求項１２】
前記方向感知手段３１０は、他の物体が近接するとき、ポインタ移動方向信号を発生させるように構成されることを特徴とする、請求項１〜８のいずれか一項に記載の固定型マウス。
【請求項１３】
前記方向感知手段３１０は、光センサー、超音波センサー、マグネチックセンサーの中でいずれか一つでなることを特徴とする、請求項１２に記載の固定型マウス。
【請求項１４】
前記速度感知手段３２０は、設定時間内に前記方向感知手段３１０が２回以上の接触を感知するかあるいは２回以上の接触圧力の印加を感知するとき、ポインタ移動速度を増加させるように構成されることを特徴とする、請求項１〜８のいずれか一項に記載の固定型マウス。
【請求項１５】
前記ハウジング１００の底面には、前記ハウジング１００の動きを感知してポインタ移動信号を発生させる移動感知手段３３０が備えられることを特徴とする、請求項１〜８のいずれか一項に記載の固定型マウス。
【請求項１６】
前記ハウジング１００の底面には前記ハウジング１００のパッド面への安着の有無を感知する信号伝逹スイッチ３４０が備えられ、
前記移動感知手段３３０は前記ハウジング１００がパッド面に安着されたときに作動するように構成されることを特徴とする、請求項１５に記載の固定型マウス。
【発明の詳細な説明】
【技術分野】
【０００１】
本発明はマウスを大きく移動させなくてもポインタを持続的に動かすことができて、ポインタの移動のためのマウスの移動空間が不要であって使用が便利な固定型マウスに係り、より詳しくはポインタの移動のための方向感知手段とポインタ移動速度調節のための速度感知手段が別々に備えられることにより、製品の製作及び維持保守が容易で使用が便利であるように構成される固定型マウスに関する。
【背景技術】
【０００２】
通常、マウス装置は、機械式、光学式、光機械式などに区分される。前記機械式マウス装置の場合には、下端に位置するボールの動きを検出し、それに応じてポインタを動かすものである。そして、光学式マウス装置は、格子状のパッド上で光学的マウス装置が動くことにより、前記光学式マウス装置の下端に位置するフォトセンサーが前記格子の変化を感知することで、光学式マウス装置の動きを検出し、それに応じてポインタを動かすものである。また、前記光機械式マウス装置は、スリットを持つホイールの動きをフォトセンサーが感知して光機械式マウス装置の動きを検出し、それに応じてポインタを動かすものである。
【０００３】
前述したように、従来には使用者がマウス装置を移動させ、前記マウス装置は前記使用者による動きを感知し、それに応じてポインタを動かす方式を用いた。これにより、従来のマウス装置をもってポインタを動かすためには、必ずマウス装置が動ける空間が必要であった。
【０００４】
ところが、マウス装置の使用環境はいつもマウス装置を充分に移動させることができる空間が提供されるものではない。よって、マウス装置を移動させる空間が不足な場合には、使用者がポインタを自由に移動させることができなかった。
【０００５】
また、従来のマウスは、コンピュータを使う時間が長い場合は、摩擦面を持つ底面やパッド上での操作の不自由によって手首の疲労度が高くなって手首の痛症を訴える場合がほとんどである。
【０００６】
このような問題点を解決するために、マウスを遠くまでまたは持続的に動かさなくてもポインタを遠くまであるいは持続的に移動させることができるように構成される‘固定型マウス（韓国出願番号：１０−２００７−４４１１２）’が本発明の出願人によって出願されたことがある。
【０００７】
前記固定型マウスは、内部に収容部が形成されたハウジングと、前記収容部に実装されるマウス本体と、前記収容部の内側壁面に位置し、前記マウス本体が接触したとき、前記マウス本体の動きを検出してポインタを動かす感知手段を含むように構成されている。このように構成される固定型マウスの動作についての詳細な説明は省略する。
【０００８】
この際、前記のように構成される従来の固定型マウスは、感知手段がマウス本体２００の動きを検出してポインタを動かす役目と、前記マウス本体２００の接触後に圧力加重値による検出量を反映してポインタの速度を調節する役目を同時にするように構成されている。
【０００９】
したがって、従来の固定型マウスは、前記感知手段の構成が複雑になり、前記感知手段のサイズが大きくなるだけでなく、感知手段の装着位置を設定値に多大な制約があるため、製品のレイアウト設計自由度が低くなるという欠点がある。
【００１０】
また、感知手段の加圧が始まったとき、ポインタを動かす機能だけではなくポインタの移動速度を調節する機能も同時に遂行されるので、使用者がポインタの移動速度の変化を望まない場合にもポインタの移動速度が自動に増減して使用に不便さが引き起こされることがあり得るという問題点がある。
【００１１】
その他にも、ポインタを動かすための構造とポインタの速度を調節するための構造のいずれか一部が故障した場合、故障した部分の修理が難しく、故障した部分のみを入れ替えることができなくて感知手段の全体を入れ替えれなければならないため、維持費用が高くかかることになるという欠点がある。
【発明の概要】
【発明が解決しようとする課題】
【００１２】
本発明は前記のような問題点を解決するためになされたもので、ポインタを動かすための構成とポインタの移動速度を調節するための構成をそれぞれ区分することで、感知手段の製作及び維持保守が容易になり、製品のレイアウト設計自由度を高めることができ、使用者がポインタの速度調節機能を選択的に用いることができるように構成される固定型マウスを提供することにその目的がある。
【課題を解決するための手段】
【００１３】
前記のような目的を達成するための本発明による固定型マウスは、
収容凹部が形成されたハウジング；
前記収容凹部に全部または一部が収容されるマウス本体；
前記マウス本体に印加される外力の方向を感知してポインタ移動方向信号を発生させる方向感知手段；及び
前記マウス本体に印加される外力の強度を感知してポインタ速度変化信号を発生させる速度感知手段；
を含んでなる。
【００１４】
前記方向感知手段は、前記マウス本体の外壁と前記収容凹部の内壁の中でいずれか一方に装着され、
前記速度感知手段は、前記マウス本体の外壁と前記収容凹部の内壁の中で他方に装着される。
【００１５】
前記方向感知手段はリング状に形成されて前記収容凹部の底面に装着され、前記速度感知手段は前記マウス本体の外壁と前記収容凹部の内壁の中でいずれか一方に装着される。
【００１６】
前記方向感知手段と速度感知手段は互いに重なるように結合されて前記マウス本体の外壁または前記収容凹部の内壁に装着される。
【００１７】
前記方向感知手段と前記速度感知手段は、前記マウス本体の外壁または前記収容凹部の内壁の周りに沿って一定間隔で離隔するように配列されるか、あるいは前記マウス本体の外壁または前記収容凹部の内壁の全周にわたって備えられる。
【００１８】
前記方向感知手段は、前記マウス本体の外壁または前記収容凹部の内壁に装着され、
前記速度感知手段は、前記マウス本体の上面または前記マウス本体の底面あるいは前記収容凹部の底面に装着される。
【００１９】
前記マウス本体は下側一部だけが前記収容凹部に収容され、前記マウス本体は前記収容凹部に収容されない上側に取っ手部を備える。
【００２０】
前記取っ手部は、下端が前記マウス本体の外壁と収容凹部の内壁の間の空間を覆うように形成される。
【００２１】
また、前記のような目的を達成するための本発明による固定型マウスは、
ハウジング；
前記ハウジングの外側面に装着されるマウス本体；
前記マウス本体に印加される外力の方向を感知してポインタ移動方向信号を発生させる方向感知手段；及び
前記マウス本体に印加される外力の強度を感知してポインタ速度変化信号を発生させる速度感知手段；
を含んでなり、
前記ハウジングとマウス本体の中でいずれか一方には突出部が備えられ、前記ハウジングとマウス本体の中で他方には前記突出部が収容される収容凹部が形成される。
【００２２】
前記方向感知手段は、前記突出部の外壁と前記収容凹部の内壁の中でいずれか一方に装着され、
前記速度感知手段は、前記突出部の外壁と前記収容凹部の内壁の中で他方に装着される。
【００２３】
前記方向感知手段と速度感知手段は互いに重なるように結合されて前記突出部の外壁または前記収容凹部の内壁に装着される。
【００２４】
前記方向感知手段は、前記突出部の外壁または前記収容凹部の内壁に装着され、
前記速度感知手段は、前記マウス本体の上面または前記突出部の上端または前記突出部の底面または前記収容凹部の底面に装着される。
【００２５】
前記突出部は、端部が収容凹部に結合され、前記マウス本体の移動時に傾くように構成され、
前記速度感知手段は前記収容凹部の内壁または前記突出部の外壁に装着される。
【００２６】
前記収容凹部は、底面より入口が広い形状に形成される。
【００２７】
前記突出部は、端部に行くほど直径が大きくなる形状に形成される。
【００２８】
前記方向感知手段は、前記マウス本体の上面に装着される。
【００２９】
前記方向感知手段は、タッチパッドまたはジョイスティックでなる。
【００３０】
前記マウス本体に別途の外力が印加されない限りマウス本体が移動しないように、前記マウス本体に弾性力を印加する弾性部材をさらに含む。
【００３１】
前記方向感知手段は、他の物体が接触するとき、あるいは他の物体が接触した状態で接触圧力が印加されるとき、ポインタ移動方向信号を発生させるように構成される。
【００３２】
前記方向感知手段は、スイッチ方式またはタッチセンサー方式でなる。
【００３３】
前記方向感知手段は、他の物体が近接するとき、ポインタ移動方向信号を発生させるように構成される。
【００３４】
前記方向感知手段は、光センサー、超音波センサー、マグネチックセンサーの中でいずれか一つでなる。
【００３５】
前記速度感知手段は、設定時間内に前記方向感知手段が２回以上の接触を感知するかあるいは２回以上の接触圧力の印加を感知するとき、ポインタ移動速度を増加させるように構成される。
【００３６】
前記ハウジングの底面には、前記ハウジングの動きを感知してポインタ移動信号を発生させる移動感知手段が備えられる。
【００３７】
前記ハウジングの底面には前記ハウジングのパッド面への安着の有無を感知する信号伝逹スイッチが備えられ、
前記移動感知手段は前記ハウジングがパッド面に安着されたときに作動するように構成される。
【００３８】
また、前記のような目的を達成するための本発明による固定型マウスは、
ハウジング；
側方向に印加される外力の方向を感知してポインタ移動方向信号を発生させる方向感知手段；及び
上下方向に印加される外力の強度を感知してポインタ速度変化信号を発生させる速度感知手段；
を含んでなる。
【００３９】
また、前記のような目的を達成するための本発明による固定型マウスは、
ハウジング；
基準位置から離隔した地点に印加される外力を感知し、基準位置から外力が印加された地点に向かう方向にポインタ移動方向信号を発生させる方向感知手段；及び
印加される外力の強度を感知してポインタ速度変化信号を発生させる速度感知手段；
を含んでなる。
【００４０】
前記方向感知手段と速度感知手段はタッチパッド構造に構成され、積層方式で結合されて前記ハウジングの上面に装着される。
【００４１】
前記方向感知手段は基準位置を中心として円盤状またはリング状に形成される。
【００４２】
前記速度感知手段は、設定時間内に前記方向感知手段が２回以上の接触を感知するかまたは２回以上の接触圧力の印加を感知するとき、ポインタ移動速度を増加させるように構成される。
【００４３】
前記ハウジングの底面には前記ハウジングの動きを感知してポインタ移動信号を発生させる移動感知手段が備えられる。
【００４４】
前記ハウジングの底面には前記ハウジングのパッド面への安着の有無を感知する信号伝逹スイッチが備えられ、
前記移動感知手段は前記ハウジングがパッド面に安着されたときに作動するように構成される。
【発明の効果】
【００４５】
本発明による固定型マウスは、ポインタを動かすための方向感知手段とポインタの移動速度を調節するための速度感知手段がそれぞれ独立して備えられることにより、方向感知手段と速度感知手段の製作及び維持保守が容易であり、製品のレイアウト設計自由度を高めることができ、使用者がポインタの速度調節機能を選択的に用いることができるので、利用が非常に便利であるという利点がある。
【図面の簡単な説明】
【００４６】
【図１】本発明による固定型マウスの分解斜視図である。
【図２】本発明による固定型マウスの断面図である。
【図３】方向感知手段と速度感知手段の装着位置が変更された本発明による固定型マウスの断面図である。
【図４】方向感知手段と速度感知手段の装着位置が変更された本発明による固定型マウスの断面図である。
【図５】方向感知手段と速度感知手段の装着位置が変更された本発明による固定型マウスの断面図である。
【図６】マウス本体に取っ手部が備えられる本発明による固定型マウスの断面図である。
【図７】本発明による固定型マウスの第２実施例の分解斜視図である。
【図８】本発明による固定型マウスの第２実施例の断面図である。
【図９】方向感知手段と速度感知手段の装着位置が変更された本発明による固定型マウスの第２実施例の断面図である。
【図１０】本発明による固定型マウスの第３実施例の断面図である。
【図１１】本発明による固定型マウスの第４実施例の断面図である。
【図１２】本発明による固定型マウスの第４実施例の断面図である。
【図１３】本発明による固定型マウスの第４実施例の断面図である。
【図１４】本発明による固定型マウスの第５実施例の断面図である。
【図１５】本発明による固定型マウスの第５実施例の断面図である。
【図１６】本発明による固定型マウスの第５実施例の断面図である。
【図１７】本発明による固定型マウスの第６実施例の断面図である。
【図１８】本発明による固定型マウスの第６実施例の断面図である。
【発明を実施するための形態】
【００４７】
以下、添付図面に基づいて本発明による固定型マウスの実施例を詳細に説明する。
【００４８】
図１及び図２は本発明による固定型マウスの分解斜視図及び断面図である。
【００４９】
図１及び図２に示すように、本発明による固定型マウスは、収容凹部１１０が形成されたハウジング１００と、前記収容凹部１１０に全部または一部が収容されるマウス本体２００と、前記収容凹部１１０の内壁に装着され、前記マウス本体２００に印加される外力の方向を感知することで、ポインタ移動方向信号を発生させる方向感知手段３１０と、前記マウス本体２００の外壁に装着され、前記マウス本体２００に印加される外力の強度を感知することで、ポインタの速度変化信号を発生させる速度感知手段３２０とを含んでなる。
【００５０】
前記マウス本体２００は、収容凹部１１０に収容された状態で使用者の操作によって水平方向に押されることにより、前記方向感知手段３１０と速度感知手段３２０が互いに接触し、これによりポインタの移動の開始及びポインタの移動速度の変更がなされるようにするための構成要素である。この際、前記マウス本体２００は使用者の便宜のための信号入力ボタン及びスクロールボタンをさらに備えることができる。このような信号入力ボタン及びスクロールボタンは通常のマウスにも適用されているので、これについての詳細な説明は省略する。
【００５１】
また、前記方向感知手段３１０と速度感知手段３２０は、本実施例に示すように、タッチセンサー方式で製作されることもでき、スイッチ方式で製作されてマウス本体２００の外壁及び収容凹部１１０の内壁に多数装着されるように構成されることもできる。すなわち、前記方向感知手段３１０と速度感知手段３２０は、前記マウス本体２００の移動方向及び移動力の大きさを測定することができるものであればどの構成にも製作できる。
【００５２】
図２に示す形状はマウス本体２００が収容凹部１１０の中心に位置する状態のもので、このような状態では方向感知手段３１０と速度感知手段３２０が互いに離隔しているので、方向感知手段３１０と速度感知手段３２０には何の接触や加圧も印加されなくなり、これによりポインタは移動しない。
【００５３】
図２に示す状態で、使用者がマウス本体２００を手で掴んで水平方向のいずれか一側に移動させれば、前記方向感知手段３１０と速度感知手段３２０は互いに接触することになる。この際、前記方向感知手段３１０は、接触が発生した方向、つまり前記マウス本体２００が移動した方向にポインタが移動するようにポインタ移動信号を発生させる。
【００５４】
また、前記速度感知手段３２０はどのくらい高い接触圧力が発生するかによって、つまり前記マウス本体２００がどのくらい高い力で移動するかによってポインタの速度を増減させる。より詳細に説明すれば、前記速度感知手段３２０は、方向感知手段３１０との接触が発生した後に印加される接触圧力の強度によってポインタの速度を調節するように構成される。すなわち、使用者が前記マウス本体２００を強く押す場合にポインタは速く動き、前記マウス本体２００を弱く押す場合にポインタは遅く移動する。
【００５５】
このように、本発明による固定型マウスは、ポインタ移動方向信号発生のための方向感知手段３１０と、ポインタ速度変化信号発生のための速度感知手段３２０がそれぞれ別に備えられるので、方向感知手段３１０と速度感知手段３２０のいずれか一つが損傷される場合、損傷された構成要素のみを入れ替えることができるので、維持保守が容易になり、方向感知手段３１０と速度感知手段３２０の位置を自由に選定することができるので、製品設計自由度が高まるという利点がある。
【００５６】
この際、前記マウス本体２００がどの方向に移動しても前記方向感知手段３１０と速度感知手段３２０に同一強度の接触圧力が印加されることができるように、前記マウス本体２００と収容凹部１１０は円筒状に形成され、前記方向感知手段３１０と前記速度感知手段３２０は前記マウス本体２００の外壁または前記収容凹部１１０の内壁の全周にわたって備えられることが好ましい。また、前記方向感知手段３１０と速度感知手段３２０は、前記マウス本体２００の外壁または前記収容凹部１１０の内壁の全周にわたって連続的に形成されることもでき、マウス本体２００の外壁または収容凹部１１０の内壁の周りに沿って一定間隔で離隔して分布するように配列されることもできる。
【００５７】
また、使用者が前記マウス本体２００を一側に押して方向感知手段３１０と速度感知手段３２０が接触した状態で、使用者が前記マウス本体２００から手をはなしても方向感知手段３１０と速度感知手段３２０が接触した状態をそのまま維持すれば、使用者が前記マウス本体２００を一側に押さなくてもポインタは持続的に移動するようになる。
【００５８】
したがって、本発明による固定型マウスは、一側が前記収容凹部１１０の内壁に結合され、他端が前記マウス本体２００に結合されることにより、前記マウス本体２００に別の外力が印加されない限り前記マウス本体２００を収容凹部１１０の中央に位置させるように、つまり方向感知手段３１０と速度感知手段３２０が互いに離隔するように前記マウス本体２００を元の位置に戻す弾性部材４００を備える。この際、前記弾性部材４００はスポンジや弾性合成樹脂のように弾性物質で製作されることもでき、コイルスプリングまたはリーフスプリングなどのスプリングで製作されることもできる。また、前記マウス本体２００の外壁と収容凹部１１０の内壁の間の空間にほこりや異物が侵入しないように、前記弾性部材４００はマウス本体２００の外壁と収容凹部１１０の内壁の間の空間全部を覆う構造に構成されることが好ましい。
【００５９】
また、マウス本体２００を元の位置に戻すための弾性部材４００は、互いに引力を発生させるように構成され、その一つは前記ハウジング１００に固定結合され、他の一つは前記マウス本体２００に固定結合される一対の磁石に取り替えられることもできる。すなわち、前記弾性部材４００は、外力が印加されない限り前記加圧感知手段に加圧力が印加されないように、前記マウス本体２００を元の位置に戻すことができる構造であればどんな構成にも適用されるかあるいは取り替えられることができる。
【００６０】
図１及び図２においては、方向感知手段３１０と速度感知手段３２０が互いに離隔していて、マウス本体２００の移動時に接触するように構成される場合のみを説明しているが、前記方向感知手段３１０と速度感知手段３２０は最初から接触した状態で装着されることもできる。このような場合、前記方向感知手段３１０は、使用者がマウス本体２００に水平方向の外力を加えたとき、印加される圧力の強度が設定値以上の場合にポインタ移動信号を発生させ、前記速度感知手段３２０も印加される圧力の強度変化によってポインタ速度変化信号を発生させるように構成される。
【００６１】
このように、前記方向感知手段３１０と速度感知手段３２０がいつも接触した状態を維持するように構成されれば、前記方向感知手段３１０と速度感知手段３２０が離隔してから接触することにより発生する騷音を無くすことができ、マウス本体２００が大きく搖れないので、マウス本体２００の操作感が向上することができ、方向感知手段３１０と速度感知手段３２０の間へのほこりや異物の流入を効果的に防止することができるという利点がある。
【００６２】
また、前記方向感知手段３１０は、他の物体が接触するか他の物体が接触した状態で接触圧力が印加されるときにポインタ移動方向信号を発生させるように構成されることもでき、他の物体が近接するときにポインタ移動方向信号を発生させるように構成されることもできる。すなわち、前記方向感知手段３１０は、光センサー、超音波センサー、マグネチックセンサーの中でいずれか一つでなることで、速度感知手段３２０がまったく接触しないとしても前記速度感知手段３２０がどのくらい近接する場合にポインタ移動方向信号を発生させるように構成されることもできる。このように前記方向感知手段３１０が構成されれば、方向感知手段３１０と速度感知手段３２０が接触する必要がないので、方向感知手段３１０と速度感知手段３２０の損傷を防止することができ、方向感知手段３１０と速度感知手段３２０の間の接触による騷音を予防することができるという利点がある。
【００６３】
図３〜図５は方向感知手段３１０と速度感知手段３２０の装着位置が変更した本発明による固定型マウスの断面図である。
【００６４】
図１及び図２において前記方向感知手段３１０は収容凹部１１０の内壁に装着され、前記速度感知手段３２０はマウス本体の外壁に装着されているが、前記方向感知手段３１０と速度感知手段３２０の装着位置は互いに取り替えられることができる。
【００６５】
また、前記方向感知手段３１０と速度感知手段３２０は、図３及び図４に示すように、互いに重なるように結合され、前記マウス本体２００の外壁または前記収容凹部１１０の内壁に装着されることもできる。
【００６６】
この際、図３に示すように方向感知手段３１０と速度感知手段３２０が配置される場合、前記方向感知手段３１０はマウス本体２００との密着によってポインタ移動信号を発生させ、前記速度感知手段３２０はマウス本体２００との密着によって印加される圧力が設定値以上の場合にポインタ速度変化信号を発生させるように構成される。また、図４に示すように方向感知手段３１０と速度感知手段３２０が配置される場合、前記方向感知手段３１０は収容凹部１１０との密着によってポインタ移動信号を発生させ、前記速度感知手段３２０は収容凹部１１０との密着によって印加される圧力が設定値以上の場合にポインタ速度変化信号を発生させるように構成される。
【００６７】
図３及び図４に示すように方向感知手段３１０と速度感知手段３２０が配置されれば、前記方向感知手段３１０と速度感知手段３２０の装着が簡便になるという利点がある。
【００６８】
また、前記マウス本体２００は、水平方向の力のみを受けるものではなく、下向きの力も受けることができる。すなわち、使用者は前記マウス本体２００に水平方向の力のみを加えることもでき、下向きに加圧しながら水平方向の力を加えることもできる。この際、前記方向感知手段３１０と速度感知手段３２０はマウス本体２００に印加される水平方向の力と下向きの力をそれぞれ区分して受けることができるように構成されることができる。
【００６９】
すなわち、本発明による固定型マウスは、図５に示すように、マウス本体２００の外壁に方向感知手段３１０が装着され、マウス本体２００の底面に速度感知手段３２０が装着されることができる。したがって、使用者はマウス本体２００に水平方向の力のみを加えることで、ポインタの移動速度変化なしにポインタの移動のみを具現することができ、マウス本体２００を下向きに押しながら水平方向の力を加えることで、ポインタの移動速度を変化させながらポインタの移動を具現することもできる。このように、本発明による固定型マウスは、使用者がポインタの速度調節機能を選択的に用いることができるので、利用が非常に便利であるという利点がある。
【００７０】
この際、前記方向感知手段３１０は、マウス本体２００の外壁の装着位置が変更されることもでき、前記速度感知手段３２０は下向きの力を受けることができるなら、収容凹部１１０の底面やマウス本体２００の上面に装着位置が変更されることもできる。
【００７１】
さらに、前記方向感知手段３１０が下向きの力を受けて前記速度感知手段３２０が水平方向の力を受けるように、前記方向感知手段３１０と速度感知手段３２０の装着位置が互いに取り替えられることもできる。このような場合、前記方向感知手段３１０は、貫通孔がマウス本体２００の直径より大きなリング状に形成されて収容凹部１１０の底面の縁部に装着されることが好ましい。一方、マウス本体２００に水平方向の外力が加わらなくて垂直方向（下向き）の外力だけが印加される場合、マウス本体２００の底面は前記収容凹部１１０の貫通孔部位に位置して、前記収容凹部１１０の底面に位置する方向感知手段３１０は外力を受けなくなるので、ポインタ移動方向信号を発生しなくなる。しかし、マウス本体２００が水平方向の外力を受けて水平方向に移動すれば、前記マウス本体２１０の底面は方向感知手段３１０に接触し、前記方向感知手段３１０はマウス本体２１０が接触した方向にポインタ移動方向信号を発生するようになる。
【００７２】
図６はマウス本体に取っ手部が備えられる本発明による固定型マウスの断面図である。
【００７３】
本発明による固定型マウスは、図６に示すように、前記収容凹部１１０に収容されないマウス本体２００の上側に取っ手部２２０がさらに備えられることができる。このように、マウス本体２００の上側に取っ手部２２０が備えられれば、使用者は取っ手部２２０を手で掴んで動かすことで、より容易にマウス本体２００に力を加えることができるようになるという利点がある。特に、前記取っ手部２２０が人体工学的デザインを持つ通常のマウスのように流線形に設計される場合、円筒状に形成されることにより掴むことが不便なマウス本体２００の構造的な問題をより効果的に解決することができるようになる。前記取っ手部２２０はマウス本体２００の上端が挿着入されるように締まりばめ方式で結合されることもでき、別の締結要素によって結合されることもできる。
【００７４】
この際、マウス本体２００の外壁と収容凹部１１０の内壁の間の空間にほこりや異物などが流入することを防止するために、前記取っ手部２２０は下端が前記マウス本体２００の外壁と収容凹部１１０の内壁の間の空間を覆うことができる形状に形成されることができる。
【００７５】
また、図６に示すように、前記マウス本体２００に取っ手部２２０が備えられれば、前記マウス本体２００の位置を限定するための弾性部材４００が取っ手部２２０とハウジング１００に結合されることができる。例えば、図６に示すように、収容凹部１１０の内壁上側に段差部を形成することにより、前記弾性部材４００の一側を取っ手部２２０の下側外周面に結合させ、前記弾性部材４００の他側を収容凹部１１０の段差部に結合させることができる。
【００７６】
マウス本体２００の移動距離を最小化させるためには、マウス本体２００の外壁と収容凹部１１０の内壁の間の空間を非常に狭く製作しなければならないので、図１〜図５に示すように、前記弾性部材４００をマウス本体２００の外壁と収容凹部１１０の内壁の間の空間に結合させるのには困難さがあり得る。しかし、図６に示すように、マウス本体２００に取っ手部２２０が備えられる場合、前記弾性部材４００の結合が容易になり、弾性部材４００の維持及び保守が簡素になるという利点がある。
【００７７】
図７及び図８は本発明による固定型マウスの第２実施例の分解斜視図及び断面図、図９は方向感知手段３１０と速度感知手段３２０の装着位置が変更された本発明による固定型マウスの第２実施例の断面図である。
【００７８】
本発明による固定型マウスは、マウス本体２００の底面全体がハウジング１００の内部に収容されず、マウス本体２００の底面に形成された突出部２１０だけがハウジング１００の上面に形成された収容凹部１２０の内部に収容されるように構成されることもできる。
【００７９】
この際、前記方向感知手段３１０は前記突出部２１０の外壁と前記収容凹部１２０の内壁の中でいずれか一方に装着され、前記速度感知手段３２０は前記突出部２１０の外壁と前記収容凹部１２０の内壁の中で他方に装着される。また、前記方向感知手段３１０と速度感知手段３２０は互いに重なるように結合され、前記突出部２１０の外壁または前記収容凹部１２０の内壁に装着されることもできる。また、前記方向感知手段３１０は前記突出部２１０の外壁または前記収容凹部１２０の内壁に装着され、前記速度感知手段３２０は前記マウス本体２００の上面または前記突出部２１０の上端もしくは前記突出部２１０の底面または前記収容凹部１２０の底面に装着されることもできる（図９参照）。
【００８０】
このように、前記方向感知手段３１０と速度感知手段３２０の装着位置変更による効果は、図１〜図５に示す第１実施例の場合と実質的に同様であるので、これについての詳細な説明は省略する。
【００８１】
図７〜図９に示す実施例による固定型マウスは、方向感知手段３１０と速度感知手段３２０がマウス本体２００の外側面に装着されずに突出部２１０に装着されるので、前記マウス本体２００の外形を自由に形成することができるという点に特徴がある。
【００８２】
すなわち、図１〜図６に示す実施例の場合には、方向感知手段３１０がマウス本体２００の外壁または収容凹部１１０の内壁を取り囲むように装着されるので、各方向に同一加圧力を受けるためには方向感知手段３１０がリング状に形成され、マウス本体２００の平面形状も円形に形成されなければならないため、使用者が前記マウス本体２００を手で掴むのに不便さがあるという問題点があった。しかし、前記方向感知手段３１０が突出部２１０に装着されるように構成されれば、前記突出部２１０及び収容凹部１２０だけが円筒状に形成されることが要求されるだけ、マウス本体２００の形状には何の制約もなくなることになる。すなわち、図７〜図９に示す実施例の場合、マウス本体２００は通常のマウスのように人体工学的な流線形に製作できる。したがって、使用者に拒否感を与えなくてより手軽く使い方に慣れることができるという利点がある。
【００８３】
図１０は本発明による固定型マウスの第３実施例の断面図である。
【００８４】
また、本発明に適用される方向感知手段３１０は、図１０に示すようにジョイスティック構造に構成されてマウス本体２００の上面に装着されることもできる。
【００８５】
このように、方向感知手段３１０がジョイスティック構造に構成されてマウス本体２００の上面に装着されれば、マウス本体２００は移動しないくらいの力でジョイスティックのみを操作する場合、ポインタの移動速度は一定に維持されるとともにポインタの移動だけが具現されることができ、マウス本体２００まで移動するくらいの大きな力でジョイスティックを操作する場合、ポインタの移動だけではなくポインタの移動速度まで変更させることができるようになる。
【００８６】
すなわち、本発明による固定型マウスが図１０に示す構造に構成されれば、使用者はより簡便にポインタの移動速度変更機能を選択的に用いることができるようになるという利点がある。
【００８７】
図１１〜図１３は本発明による固定型マウスの第４実施例の断面図である。
【００８８】
前記突出部２１０は、図１１及び図１２に示すように、端部が収容凹部１２０に結合され、マウス本体２００の移動時にマウス本体２００の移動方向に傾くことで速度感知手段３２０を加圧するように構成されることもできる。
【００８９】
このように、前記速度感知手段３２０を加圧するための構成要素がマウス本体２００の移動方向に傾くように構成されれば、速度感知手段３２０の加圧状態がより明らかに区分できるので、ポインタ移動速度変更機能の使用有無が明らかに区分できるという利点がある。また、前記マウス本体２００が前突出部２１０によってハウジング１００に結合されるので、前記マウス本体２００がハウジング１００から分離されるおそれが減少するという利点がある。
【００９０】
この際、前記収容凹部１２０は、図１１及び図１２に示すように、前記突出部２１０が一側に傾いたとき、内壁が突出部２１０の外壁と平行な状態を維持するように、底面より入口が広い形状に形成されることが好ましい。前記収容凹部１２０がこのような形状に形成されれば、収容凹部１２０の内壁に装着された速度感知手段３２０の全体が前記突出部２１０と接触することができるので、マウス本体２００の移動によって発生する力をより安定的に突出部２１０に印加することができるという利点がある。
【００９１】
また、図１１及び図１２に示すように、収容凹部１２０の内壁が底面に対して垂直になる代わりに、図１３に示すように、前記突出部２１０が端部に行くほど直径が大きくなる形状に形成されることもできる。このように前記突出部２１０が端部に行くほど直径が大きくなる形状に形成される場合においても、前記突出部２１０がマウス本体２００とともに傾くとき、前記速度感知手段３２０の全体が突出部２１０と接触することができるという効果を得ることができる。
【００９２】
図１４〜図１６は本発明による固定型マウスの第５実施例の断面図である。
【００９３】
本発明による固定型マウスは、速度感知手段３２０及び方向感知手段３１０が使用者の力を直接受けるように構成されることもできる。
【００９４】
すなわち、本発明による固定型マウスは、図１４及び図１５に示すように、ハウジング１００と、側方向に印加される外力の方向を感知してポインタ移動方向信号を発生させる方向感知手段３１０と、上下方向に印加される外力の強度を感知してポインタ速度変化信号を発生させる速度感知手段３２０とを含んでなる。前記方向感知手段３１０と速度感知手段３２０はタッチパッドの構造に構成されて前記ハウジング１００の上面に積層方式で装着できる。
【００９５】
図１５に示すように、使用者が指で前記方向感知手段３１０と速度感知手段３２０を押す場合、指で押す力は通常にななめに印加され、前記方向感知手段３１０と速度感知手段３２０に印加される力は水平方向の力成分と垂直方向の力成分に区分できる。
【００９６】
この際、前記方向感知手段３１０は水平方向の力を感知してポインタ移動方向信号を発生させ、前記速度感知手段３２０は垂直方向の力を感知してポインタ速度変化信号を発生させる。例えば、使用者が最初に指を速度感知手段３２０の上面に接触させるとき、前記速度感知手段３２０はポインタの移動速度を設定し、使用者が指で押すとき、前記方向感知手段３１０は使用者がどの方向に押すかを感知してポインタを該当の方向に移動させるように信号を発生させる。
【００９７】
このように印加される力の方向及び強度を感知するように構成されるタッチパッドは各種移動通信端末機やポータブル電子機器に広く適用されているので、これについての詳細な説明は省略する。
【００９８】
本実施例においては、方向感知手段３１０の上側に速度感知手段３２０が装着される場合のみを説明しているが、前記方向感知手段３１０と速度感知手段３２０は互いに位置が変更できる。すなわち、ハウジング１００の上面に速度感知手段３２０が先に装着され、その上に方向感知手段３１０が装着されることができる。
【００９９】
また、前記方向感知手段３１０と速度感知手段３２０は、使用者がどの方向に力を加えても均一に力を受けるように円盤状に形成されることが好ましい。この際、前記方向感知手段３１０は、使用者が最初に指を速度感知手段３２０の中央部位に接触させたときには、前記方向感知手段３１０がポインタ移動方向信号を発生させないように、中央部に貫通孔を持つリング状に形成されることもできる。
【０１００】
また、前記方向感知手段３１０は、図１６に示すように、基準位置（例えば貫通孔の中心点）を中心として一側方向に離隔した地点に外力が印加されたとき、基準位置から外力が印加された地点に向かう方向にポインタ移動方向信号を発生させるように構成されることもできる。この際、前記速度感知手段３２０は、図１４及び図１５に示す実施例と同様に、印加される外力の強度を感知してポインタ速度変化信号を発生させるように構成される。
【０１０１】
このように構成される場合、水平方向の外力を感知する必要なしに貫通孔を基準位置としてリング状の方向感知手段３１０の特定位置を上下方向に押す力のみを感知することにより、ポインタ移動方向とポインタ移動速度が一度に設定されることができるようになる。したがって、使用者は方向感知手段３１０と速度感知手段３２０が積層された地点に垂直外力と水平外力をそれぞれ別に印加するとか一方向に傾いた外力を加える必要なしに、自分の所望方向に偏った地点に垂直外力を加える動作だけでポインタ移動方向とポインタ移動速度を自由に操作することができるようになる。
【０１０２】
図１４〜図１６に示す実施例のように方向感知手段３１０と速度感知手段３２０が直接力を受けるように構成されれば、マウス本体２００を省略することができるので、構成が非常に簡素になるだけでなく、製品の小型化が可能になるという利点がある。
【０１０３】
また、前記速度感知手段３２０は、設定時間内に前記方向感知手段３１０が２回以上の接触を感知するかまたは２回以上の接触圧力の印加を感知するとき、ポインタ移動速度を増加させるように構成されることもできる。
【０１０４】
例えば、使用者が短時間内に一方向に２回以上軽く打撃することにより前記方向感知手段３１０が接触または接触圧力の印加を２回以上感知したとき、前記速度感知手段３２０は下向き加圧力によってポインタ移動速度を増減させるとともにポインタ移動速度を増加させることができるように構成されることができる。したがって、使用者は下向き加圧力を大きく印加する必要なしに方向感知手段３１０または速度感知手段３２０の上面を２回以上タッチする操作だけでもポインタの移動速度を簡便に増加させることができるようになるという利点がある。
【０１０５】
このように設定時間内に使用者が力を加える回数によってポインタの移動速度を増加させるように構成される速度感知手段３２０は、図１４〜図１６に示す実施例だけでなく、図１〜図１３に示す実施例にも同様に適用できる。
【０１０６】
図１７及び図１８は本発明による固定型マウスの第６実施例の断面図である。
【０１０７】
本発明による固定型マウスは、前記ハウジング１００の底面に、前記ハウジング１００の動きを感知してポインタ移動信号を発生させる移動感知手段３３０がさらに備えられることができる。前記移動感知手段３３０はハウジング１００の動きを感知することができるものであれば、通常の光学式マウスに使われる光センサーに適用されることもでき、通常のレーザー式マウスに使われるボール、ローラー、エンコーダの組立体に適用されることもできる。すなわち、前記のような移動感知手段３３０は通常のマウスに多様な方式で広く適用されているので、これについての詳細な説明は省略する。
【０１０８】
このように移動感知手段３３０がさらに備えられれば、使用者はハウジング１００の全体を移動させることにより、本発明による固定型マウスを通常のマウスのように用いることができるようになるという利点がある。
【０１０９】
また、前記ハウジング１００の底面には前記ハウジング１００のパッド面への安着を感知する信号伝逹スイッチ３４０が備えられ、図１７に示すように、前記ハウジング１００がパッド面に安着された状態では前記移動感知手段３３０が作動することができ、図１８に示すように、前記ハウジング１００がパッド面から離隔した状態では前記移動感知手段３３０が作動しないように構成されることができる。
【０１１０】
前記信号伝逹スイッチは、本実施例に示すように、ハウジング１００の内部に出没することでハウジング１００がパッド面に安着したかを感知する機械式スイッチだけではなく、光学センサー及び磁気センサーなどの多様な構造のスイッチに取り替えられることができる。
【０１１１】
このように信号伝逹スイッチ３４０がさらに備えられれば、使用者は前記信号伝逹スイッチのオン／オフによって移動感知手段３３０の動作可否を簡便に選択することができるようになるという利点がある。
【０１１２】
以上、本発明を好適な実施例に基づいて詳細に説明したが、本発明の範囲は特定の実施例に限定されるものではなく、添付の特許請求範囲によって解釈されなければならないであろう。また、当該技術分野で通常の知識を持った者であれば、本発明の範囲から逸脱しない範疇内で多様な修正及び変形が可能であることを理解しなければならないであろう。
【図１】
0005444557.tif 000002
【図２】
0005444557.tif 000003
【図３】
0005444557.tif 000004
【図４】
0005444557.tif 000005
【図５】
0005444557.tif 000006
【図６】
0005444557.tif 000007
【図７】
0005444557.tif 000008
【図８】
0005444557.tif 000009
【図９】
0005444557.tif 000010
【図１０】
0005444557.tif 000011
【図１１】
0005444557.tif 000012
【図１２】
0005444557.tif 000013
【図１３】
0005444557.tif 000014
【図１４】
0005444557.tif 000015
【図１５】
0005444557.tif 000016
【図１６】
0005444557.tif 000017
【図１７】
0005444557.tif 000018
【図１８】
0005444557.tif 000019